(57)【要約】      （修正有）【課題】吊り下げたネット付き下着専用ハンガーが強風で煽られて、物干し竿より落下することがなく、優れた乾燥ができ、盗難を防止するネット付下着専用ハンガーを提供する。【解決手段】複数個のハンガー部を下方に離間させて、固定した水平棒状の本体部と、物干し竿にに吊着、固定される二股に形成したフック部と、各ハンガー部を覆う袋状のネットとを具備する。ハンガー部は水平の環形に形成された棒体からなり、下着を水平の環形に吊り下げる。【選択図】図２
0003153672.tif 000002
【実用新案登録請求の範囲】
【請求項１】
複数個のハンガー部を下方に離間させて、固定した水平棒状の本体部と、物干し竿にに吊着、固定される二股に形成したフック部と、各ハンガー部を覆う袋状のネットとを具備してなるネット付き下着専用ハンガーであって、ハンガー部は水平の環形に形成された棒体からなり、下着を水平の環形に吊り下げることを特徴とするネット付き下着専用ハンガー。
【請求項２】
前記、フック部の吊着、固定手段は、フック部を半筒状の二股に形成すると共に、片側のフック部の上部に突起物を突設し、また、片側のフック部の上部に穴を形成したことを特徴とする請求項１に記載のネット付き下着専用ハンガー。
【請求項３】
前記、本体部に固定された、複数個のハンガー部を水平の環形に形成したことを特徴とする請求項１または請求項２の何れかに記載のネット付き下着専用ハンガー。
【請求項４】
前記、本体部に固定された複数個のハンガー部１個、１個を覆うネットを袋状に形成されると共に、ネットの上部を円筒状の穴に形成してある。且つ、ネットの面を波模様で形成されたことを特徴とする請求項１から請求項３までの何れかに記載のネット付き下着専用ハンガー。
【請求項５】
前記、ネットが取り外しができるよう、円筒状の穴部より下方中央までと中間部と底部にファスナーを形成したことを特徴とする請求項１から請求項４までの何れかに記載のネット付き下着専用ハンガー。
【請求項６】
前記、ネットを、中間部より伸長できるよう形成したことを特徴とする請求項１から請求項５までの何れかに記載のネット付き下着専用ハンガー。
【請求項７】
前記、ネットの伸長を必要としない場合、ネットを折り重ねて、引っ掛けて、保持できるようネットの中間両端にフック部を形成すると共に、伸長するネットの底部両端にひも状部を形成したことを特徴とする請求項１から請求項６までの何れかに記載のネット付き下着専用ハンガー。
【考案の詳細な説明】
【技術分野】
【０００１】  本考案は、洗濯物が落下することなく、風合に優れた乾燥をすることができ、盗難を防止し、安心した乾燥が向上できるネット付き下着専用ハンガーにかんするものである。
【背景技術】
【０００２】  従来より、ハンガー部に衣類を掛けて物干し竿に引っ掛けたり、鋏む機構の物干し具で吊り下げたりすることが行われてきた。且つ、複数個の連なったハンガー部を物干し竿に引っ掛けて吊り下げることで、一度に多数の洗濯物を乾かすことができ、また、洗洗濯物を覆うネット等が提案されている。
【先行技術文献】
【特許文献】
【０００３】  物干し具が物干し竿より外れたりしないようにＶ字状に突出させた長脚片と短脚片の弾性の復元力で内壁面を圧着させて物干し竿に係着させる係止装置などが提案されている。また、枠型ハンガーの枠の上縁部に、遊着したクリップを吊説して、そして、前記、枠には洗濯物が外部から直視できないように通風自在な糸状の洗濯物被覆体を周設する等の提案がされている。
【特許文献１】  特許第２９４９０６２号
【特許文献２】  実開平  ５−７４４９２
【考案の概要】
【考案が解決しようとする課題】
【０００４】  従来の物干し具の掛け具においては、強風で煽られて、物干し竿より外れて、落下したり、また、ハンガー部においては、複数個のハンガー部が風等で移動して、洗濯物が重なり合って、乾燥を遅くしたり等の問題がある。また、洗濯物が人目にさらされてはずかしい思いをしたり、盗難にあったり等の問題がある。【０００５】  特許文献１と、特許文献２は叙述の目的で提案されているが、複数の部品を用いて、構造が複雑化し、コストアップの要因となっていたり、また、ネットの中の洗濯物が透けて見えてしまったりと、配慮がされていない等の問題がある。【０００６】  本考案は、このような問題点を解決するために、強風で煽られても、洗濯物が落下しないよう、また、風合いに優れ、且つ、人目を気にすることなく安心した乾燥ができる、ネット付き下着専用ハンガーを提供することを目的としている。
【課題を解決するための手段】
【０００７】  すなわち、請求項１に記載の考案は、複数個のハンガー部を下方に離間させて、固定した水平棒状の本体部と、物干し竿に吊着、固定される二股形成されたフック部と各ハンガー部を覆う袋状のネットとを具備してなるネット付き下着専用ハンガーであって、ハンガー部は、水平の環形に形成された棒体からなり、下着を環形に吊り下げることを特徴としている。【０００８】    また、請求項２に記載の考案は、請求項１に記載のネット付き下着専用ハンガーにおいて、前記、フック部の吊着、固定手段は、フック部を半筒状の二股に形成すると共に、片側のフック上部に突起物を突設し、また、片側のフック上部に穴を形成したことを特徴としている。【０００９】    また、請求項３に記載の考案は、請求項１または請求項２の何れかに記載のネット付き下着専用ハンガーにおいて、前記、本体部に固定された複数個のハンガー部を水平の環形に形成したことを特徴としている。【００１０】    また、請求項４に記載の考案は請求項１から３までのいずれかに記載のネット付き下着専用ハンガーにおいて、前記、本体部に固定された複数個のハンガー部１個、１個を覆うネットを袋状に形成すると共に、ネットの上部を円筒状の穴に形成してある。且つ、ネットの面を波模様に形成されたことを特徴としてある。【００１１】    また、請求項５に記載の考案は、請求項１から請求項４までの何れかに記載のネット付き下着専用ハンガーにおいて、前記、ネットが取り外しができるよう円筒状の上部より下方背面中央部までと、中間部と、底面にファスナーを形成したことを特徴としている。【００１２】    また、請求項６に記載の考案は、請求項１から請求項５までの何れかに記載のネット付き下着専用ハンガーにおいて、前記、ネットを、中間部より伸長できるよう形成したことを特徴としている。【００１３】    また、請求項７に記載の考案は、請求項１から請求項６までの何れかに記載のネット付き下着専用ハンガーにおいて、前記、ネットの伸長を必要としない場合ネットを折り重ねて、引っ掛けて保持できるよう、中間部両端にフック部を形成すると共に、伸長するネットの底面両端にひも状部を形成したことを特徴としている。
【考案の効果】
【００１４】    すなわち、請求項１に記載の考案は、本体部と物干し竿とを吊着、固定する為のフック部を用いたので、強風で吊下げた洗濯物の落下を回避することができ、また、多数の洗濯物を風通し良く、すると共に、安心した乾燥をすることが可能となる。【００１５】    また、請求項２に記載の考案によれば本体部と、物干し竿とを吊着、固定する手段として、フック部を二股に形成して、片側のフック上部に、突起物を、突設してもう片側のフック上部に穴を形成したので、物干し竿をフック部ではさみ、留めることでしっかりと固定することができる。また、極めて簡単で、スムーズに、着脱ができるのでコストダウンが図れる。【００１６】    また、請求項３に記載の考案によれば、本体部に固定された複数個のハンガー部を設けることにより、多数の洗濯物を効率よく乾燥することができると共に、ハンガー部を水平の環形に形成したことにより輪の中が空間になることで洗濯物どうしが重なり合うことがなく、風通しの優れた良い乾燥が可能となる。【００１７】    また、請求項４に記載の考案によれば、本体部に固定された複数個のハンガー部を１個、１個を覆うネットを設けることにより、洗濯物が風に煽られて飛ばされる心配がなく、また、ネットの上部を円筒状の穴に形成して、ハンガー吊り下げ部に密接し、上部から見えにくくなると共に、ネットの面を波模様に形成することにより外見からより一層見えにくくなるので、はずかしさから解放され、且つ、盗難を防止することができる。【００１８】    また、請求項５に記載の考案によれば、ネットにファスナーを設けることで、着脱がスムーズにできる。且つ、ネットを取り外して洗濯が可能となるので衛生的に良い。【００１９】    また、請求項６に記載の考案によれば、ネットの中間部よる、伸長できるよう形成することで長めの洗濯物を干すことができ効率の良い乾燥ができる。【００２０】    また、請求項７に記載の考案によれば、ネットに、フック部と、ひも状部を形成することで、ネットを伸長しない場合、中間部で折り重ね合わせてフック部にひも状部を引っ掛けて保持することができる。
【図面の簡単な説明】
【００２１】
【図１】（ａ）フック部斜視図、（ｂ）ハンガー部斜視図、（ｃ）ネット  正面図。
【図２】ネット付き下着専用ハンガーの使用形態を示す斜視図。
【考案を実施するための形態】
【００２２】    以下、図１、図２に基づき本考案のネット付き下着専用ハンガーの実施形態を説明する。
【００２３】    図１、図２に示すように、本実施形態のネット付き下着専用ハンガーは、本体部１に固定された複数個のハンガー８を１個、１個を覆うネット９と１６と、当本体部１を物干し竿に吊着、固定するためのフック部４とで構成されている。
【００２４】    ポリプロピレンの素材からなる水平の棒状に形成された本体部１の中央部より下方へ伸びた本体吊り下げ部２と３の先端を半筒状の二股に形成したフック部４が形成されると共に、片側のフック部の上部に突起物５が突設され、また、片側のフック部の上部に穴６が形成されている。そして、物干し竿を４ではさみ５に６を入れ込み留めて、物干し竿に吊着、固定される。
また、突起物５を横２列を縦に３段に形成されると共に、６を横２列を縦に３段に形成することで物干し竿の太さに対応することができ、また、フック部４が物干し竿の太さに対応できるよう吊り下げ棒状部３を肉薄に形成してある。
【００２５】    そして図１（ｂ）に示すように、固定された複数個のハンガー部８を水平の環形されると共に、ハンガー部８の平行してある両側の中央部に固定したそれぞれ１本ずつの棒状が斜め上方へと伸びて、途中より１本の棒状に形成したハンガー吊り下げ部７が本体部１に固定され、ハンガー部８の吊り下げ、固定手段として構成されている。
【００２６】    また、図１のｃに示すように、柔軟性と通気性を有したポリエステルの素材からなるネット９とネットを重ねた結合部１５より伸長できるネット１６が形成されていると共に、ネットの面１０が曲線の山と谷からなる波模様に形成されている。また、ネットを取り外しできるよう円筒状の穴部１１を上部より下方へ背面中央までと、ネット９の底部１２とネット１６の底部１７に、ファスナー１３を設けてあるのでハンガー部８より着脱ができる。
また、ネット９の中間部の両端に、塩化ビニル樹脂からなるフック部１４を接着手段により形成して、ネット１６を伸長しない場合、ネット９の中にネット１６を折り重ね入れてフック部１４にひも状部１８を引っ掛けて保持することができる。
【００２７】    このように、本体部１に半筒状の二股に形成したフック部４を形成し、そして、フック部４の上部に突起物５と穴６を設けたことで物干し竿（通常径２９ｍｍ伸長した場合３３ｍｍ〜３８ｍｍのものが使用されている）の太さに対応することができ物干し竿にフック部がしっかりと固定されるので洗濯物が強風で煽られて、物干し竿より外れて落下したりすることがなくなる。また、着脱作業が簡便である。また、水平の環形のハンガー部８を設けることで吊るした１枚、１枚の下着が重なることがなく風合いに優れた良い乾燥ができる。
加えて、ネット９とネット１６を設け、また、波模様のネット面１０を設けることで、より一層人目につくことがなく、はずかし思いから解放され、且つ、盗難を防止することができる。
すなわち、多数の洗濯物をネット付き下着専用ハンガーで確実に保持して、効率の良い安心した良い乾燥が可能となる。
【符号の説明】
【００２８】１    本体部
２    本体吊り下げ部
３    本体吊り下げ部
４    フック部
５    突起物
６    穴
７    ハンガー吊り下げ部
８    ハンガー部
９    ネット
１０  ネット面
１１  円筒状の穴
１２  底部
１３  ファスナー
１４  フック部
１５  結合部
１６  ネット
１７  底部
１８  ひも状部
【図１】
0003153672.tif 000003
【図２】
0003153672.tif 000004